(57)【要約】【課題】  ケーブルを接続することなくＴＶ受信機や携帯機器でテレビ放送を視聴可能とする壁面端子を提供する。【解決手段】  ボックス１１の収納空間１１ｃには、壁面内に布線されている同軸ケーブルが導入されており、この同軸ケーブルがユニット部１２にそれぞれ接続されて、同軸ケーブルを伝播したテレビ信号はユニット部１２の同軸コネクタから出力されるようになる。この同軸コネクタに、アンテナ内蔵プレート１４の同軸プラグ１４ｃが装着されてテレビ信号が内蔵アンテナ１４ａに給電され、内蔵アンテナ１４ａからテレビ信号が電波として放射され、この電波を壁面端子１の近傍に配置されているアンテナを備えるＴＶ受像機において受信することにより、ＴＶ受像機において視聴することができるようになる。【選択図】  図２
2008042526.tif 000002
【特許請求の範囲】
【請求項１】
壁面に埋め込まれているボックスと、
信号を出力するコネクタを備えるユニット部と、
該ユニット部を前記ボックスの収納空間に配置するよう前記ボックスに固着される取付プレートと、
前記取付プレートの前面に取り付け可能とされ、前記取付プレートの前面に取り付けた際に、内蔵するアンテナを前記コネクタに接続するプラグを備えるアンテナ内蔵プレートと、
を備えていることを特徴とする壁面端子。
【請求項２】
壁面に埋め込まれているボックスと、
信号を出力するコネクタを備えるユニット部と、
該ユニット部を前記ボックスの収納空間に配置するよう前記ボックスに固着され、一面に設けられているアンテナを前記コネクタに接続するプラグを他面に備える取付プレートと、
前記取付プレートの前面に取り付けられるプレートと、
を備えていることを特徴とする壁面端子。
【発明の詳細な説明】
【技術分野】
【０００１】
本発明は、壁面等に設けられる壁面端子に関するものである。
【背景技術】
【０００２】
壁面に設けられている壁面端子には、商用交流のコネクタが設けられた壁面端子、電話線のモジュールジャックやテレビ信号を出力する同軸コネクタが設けられた壁面端子が知られている。一般に、家庭のアンテナで受信した電波はブースタ・分配器を介して同軸コネクタが設けられた壁面端子からＴＶ受信機に導かれている。このような壁面端子において、壁面端子とＴＶ受信機との配線には同軸ケーブルが使用されている。また、テレビ放送を受信可能な携帯機器ではその機器に内蔵若しくは装着されているアンテナによりテレビ放送を直接受信している。
従来のテレビ信号を出力する同軸コネクタが設けられた壁面端子１００の一例を図１８に示す。図１８に示すように壁面端子１００はプレート１０１を備えており、壁面に装着されるプレート１０１の切欠窓から臨む接栓座１０２には、同軸コネクタ１０２ａが設けられている。
【発明の開示】
【発明が解決しようとする課題】
【０００３】
従来の壁面端子１００からＴＶ受信機等への配線は、ＴＶ受像機に一端が接続されている同軸ケーブルの他端に設けられている同軸プラグを同軸コネクタ１０２ａに装着することにより行われている。このため、同軸ケーブルがユーザにとって目障りであるとともに、場合よっては同軸ケーブルに引っ掛けて怪我をするおそれがあった。また、テレビ放送を受信可能な携帯機器では屋外の電波条件の良い環境では直接受信可能となるが、地下街や室内など電波状況の悪いところでは受信することが不可能であった。
そこで、本発明は、壁面端子を利用してケーブルを接続することなくＴＶ受信機や携帯機器でテレビ放送を視聴可能とする今までにない機能を備える壁面端子を提供することを目的としている。
【課題を解決するための手段】
【０００４】
上記目的を達成するために、本発明の壁面端子は、同軸コネクタを備えるユニット部の同軸コネクタに内蔵するアンテナを接続可能なアンテナ内蔵プレートを備えていることを最も主要な特徴としている。
【発明の効果】
【０００５】
本発明によれば、同軸コネクタを備えるユニット部の同軸コネクタに内蔵するアンテナを接続可能なアンテナ内蔵プレートを備えていることから、テレビ信号は内蔵されるアンテナから電波として空間へ再放射されるようになる。これにより、壁面端子から同軸ケーブルを介してＴＶ受像機に接続することなくテレビ信号を伝送できるワイヤレス化を行えるようになる。
【発明を実施するための最良の形態】
【０００６】
本発明の第１実施例の壁面端子１の構成を図１および図２に示す。図１は、本発明にかかる壁面端子１の構成を示す正面図であり、図２は、本発明にかかる壁面端子１を壁面に取り付けた状態を一部断面で示す側面図である。
これらの図に示すように、本発明の第１実施例にかかる壁面端子１は、壁面に埋め込まれるように取り付けられるボックス１１と、同軸コネクタを備えるユニット部１２と、ユニット部１２が固着される後述する固定枠と、固定枠に取り付けられる取付プレート１５と、取付プレート１５の前面に装着される内蔵アンテナ１４ａを備えるアンテナ内蔵プレート１４とから構成されている。この壁面端子１において、壁面に埋め込まれるように壁面内に取り付けられている一面が開口している箱状のボックス１１の前面に固定枠が取り付けられ、取り付けられた固定枠に取付プレート１５およびアンテナ内蔵プレート１４とが取り付けられている。この際に、固定枠に固着されているユニット部１２がボックス１１が形成している収納空間１１ｃ内に配置され、内蔵アンテナ１４ａを備えるアンテナ内蔵プレート１４が壁面から突出するようになる。ユニット部１２には、テレビ信号を導く同軸ケーブルが接続されており、内蔵アンテナ１４ａに給電する同軸プラグ１４ｃがユニット部１２に設けられている同軸コネクタに装着されることから、ユニット部１２から供給されたテレビ信号が電波として内蔵アンテナ１４ａから放射されるようになる。
【０００７】
ここで、本発明の第１実施例にかかる壁面端子１を構成する各部の構成を図３ないし図１２に示す。図３はボックス１１の構成の断面を示す側面図であり、図４はボックス１１の構成を示す正面図である。図５は固定枠１３の構成を示す側面図であり、図６は固定枠の構成を示す正面図である。図７はユニット部１２の構成を示す側面図であり、図８はユニット部１２の構成を示す正面図である。図９は取付プレート１５の構成を示す側面図であり、図１０は取付プレート１５の構成を示す正面図である。図１１はアンテナ内蔵プレート１４の構成を示す側面図であり、図１２はアンテナ内蔵プレート１４の構成を示す正面図である。
【０００８】
ここで、図３および図４に示すボックス１１は、金属製あるいは合成樹脂製とされ一面が開口する箱状に形成されている。ボックス１１は、一面が開口している箱状の本体部１１ａからなり、本体部１１ａの上下には一対の細い幅とされた板状の取付片１１ｂが対向するよう内側に延伸されて形成されている。この取付片１１ｂには、それぞれネジ穴１１ｄが形成されている。このネジ穴１１ｄには、後述する固定枠１３の挿通孔１３ｄに挿通されたネジが螺着可能とされる。本体部１１ａの内部空間が、収納空間１１ｃとされている。この収納空間１１ｃには、壁面内に布線されている同軸ケーブルが、本体部１１ａの図示しない挿通孔から挿通されて導入される。
【０００９】
次に、図５および図６に示す固定枠１３は、合成樹脂を成形することにより縦に長い矩形状に作成されている。固定枠１３は本体部１３ａからなり、本体部１３ａは縦に長い矩形状とされており、ほぼ中央部に大きく切り欠かれた縦に長い矩形の切欠窓１３ｃが形成されている。この切欠窓１３ｃの上辺と下辺の外側に一対の挿通孔１３ｄが形成されており、さらに、挿通孔１３ｄの外側に一対のネジ部１３ｅが形成されている。また、固定枠１３の裏面からは細長い板状の一対の固定片１３ｂが、切欠窓１３ｃの上辺と下辺に沿って対面して形成されている。この一対の固定片１３ｂにより、切欠窓１３ｃとほぼ同形状とされる断面形状を有するユニット部１２が抱持されて、一対の固定片１３ｂが対面する空間にユニット部１２が固着される。固定片１３ｂがそれぞれ当接するユニット部１２の上部側面および下部側面には、固定片１３ｂに係合する図示しない係合部が形成されて、ユニット部１２が一対の固定片１３ｂにより抱持されることにより固定枠１３に固着されるようになる。この場合、例えば、一対の固定片１３ｂの対面する面に係合突起が形成され、この係合突起に係合する係合凹部がユニット部１２の上部側面および下部側面に形成される。また、一対の挿通孔１３ｄにはそれぞれネジが挿通されてネジは前述したボックス１１の取付片１１ｂに形成されているネジ穴１１ｄに螺着される。これにより、ユニット部１２が固着された固定枠１３がボックス１１に取り付けられ、この際に、ユニット部１２がボックス１１の収納空間１１ｃに収納されるようになる。なお、ボックス１１の収納空間１１ｃに導入されている同軸ケーブルの端部は、ユニット部１２に接続される。
【００１０】
次に、図７および図８に示すユニット部１２は、合成樹脂製とされ細長いほぼ直方体状に形成されている。ユニット部１２の中央部の片側には直方体状の凹部１２ｃが形成されており、この凹部１２ｃに同軸コネクタ１２ｂが一体に成形されている。ユニット部１２には、ボックス１１の収納空間１１ｃに導入されている同軸ケーブルの芯線および外部導体がそれぞれ接続される図示しない接続部が設けられている。ユニット部１２は固定枠１３に固着されるが、この場合、ユニット部１２の上部側面および下部側面に、一対の固定片１３ｂの対面する面に形成されている係合突起が係合する係合凹部がそれぞれ形成されていてもよい。あるいは、固定枠１３とユニット部１２とをネジにより固着するようにしてもよい。
【００１１】
次に、図９および図１０に示す取付プレート１５は、合成樹脂製とされ平板状の縦に長い矩形に形成されている。取付プレート１５は、平板状の縦に長い本体部１５ａからなり、本体部１５ａのほぼ中央部には細長い矩形状の切欠窓１５ｂが形成されている。切欠窓１５ｂの形状は、固定枠１３に形成されている切欠窓１３ｃと同形状とされている。本体部１５ａの裏面には、縁部に沿った枠を残して大きな凹部１５ｅが形成されている。取付プレート１５は、固定枠１３より一回り大きく形成されており、この凹部１５ｅ内には、固定枠１３の本体部１３ａが収納される。本体部１５ａにおける切欠窓１５ｂの外側に一対の挿通孔１５ｃが形成されている。この一対の挿通孔１５ｃのそれぞれに挿通したネジを固定枠１３のネジ部１３ｅにそれぞれ螺着することにより、取付プレート１５の凹部１５ｅ内に固定枠１３が固着されるようになる。また、本体部１５ａの左右の縁部に沿ってそれぞれ一対の係合孔１５ｄが合計４個形成されている。この係合孔１５ｄには、アンテナ内蔵プレート１４に形成されている係合片１４ｂがそれぞれ係合可能とされて、アンテナ内蔵プレート１４を取付プレート１５に取り付けることができるようにされている。
【００１２】
次に、図１１および図１２に示すアンテナ内蔵プレート１４は、合成樹脂製とされ所定厚みを有する直方体状に形成されている。アンテナ内蔵プレート１４は、所定厚みを有する直方体状の本体部１４ｄからなり、本体部１４ｄ内には内蔵アンテナ１４ａが内蔵されている。内蔵アンテナ１４ａは、例えば図示するように平板状とされた六角形のエレメントを有している。金属板を加工して作成されている内蔵アンテナ１４ａには同軸プラグ１４ｃから給電されており、同軸プラグ１４ｃは、本体部１４ｄの裏面から突出するよう本体部１４ｄに一体成形されている。また、本体部１４ｄの裏面における左右の縁部に沿ってそれぞれ一対の係合片１４ｂが合計４個形成されている。この係合片１４ｂは、取付プレート１５に形成されている係合孔１５ｄにそれぞれ係合可能とされている。このように構成されたアンテナ内蔵プレート１４を取付プレート１５に取り付けると、裏面から突出するよう設けられている同軸プラグ１４ｃが取付プレート１５の切欠窓１５ｂ、固定枠１３の切欠窓１３ｃを介してユニット部１２に設けられている同軸コネクタ１２ｂに装着される。さらに、４個の係合片１４ｂが、取付プレート１５に形成されている係合孔１５ｄに挿入されてそれぞれ係合されるようになる。これにより、図１，図２に示す壁面端子１とされる。
【００１３】
上述したように、第１実施例の壁面端子１においてボックス１１の収納空間１１ｃには、壁面内に布線されている同軸ケーブルが導入されており、この同軸ケーブルの芯線および外部導体がユニット部１２にそれぞれ接続されて、同軸ケーブルを伝播したテレビ信号は同軸コネクタ１２ｂから出力されるようになる。そして、同軸コネクタ１２ｂに、アンテナ内蔵プレート１４の同軸プラグ１４ｃが装着されてテレビ信号が内蔵アンテナ１４ａに給電されるようになる。これにより、内蔵アンテナ１４ａからテレビ信号が電波として放射され、この電波を壁面端子１の近傍に配置されているアンテナを備えるＴＶ受像機において受信することにより、ＴＶ受像機において視聴することができるようになる。この場合、据え置き型のＴＶ受像機には一般にアンテナが備えられていないが、ロッドアンテナ等をＴＶ受像機における入力用の同軸端子に接続することにより受信可能とすることができる。
なお、アンテナ内蔵プレート１４が内蔵する内蔵アンテナ１４ａは、図示するようなパッチアンテナに限るものではなく、ループアンテナ、逆Ｆ型アンテナ、スロットアンテナ、マイクロストリップアンテナ等のアンテナとすることができる。この場合、必要に応じて内蔵アンテナ１４ａに対面するようグランドプレーンを設けることができる。内蔵アンテナ１４ａやグランドプレーンは、金属を蒸着あるいは金属薄膜を貼着することにより形成するようにしても良い。
【００１４】
次に、本発明の第２実施例の壁面端子２の構成を図１３に示す。図１３は、本発明にかかる壁面端子２を壁面に取り付けた状態を一部断面で示す側面図である。
この図に示すように、本発明の第２実施例にかかる壁面端子２は、壁面に埋め込まれるように取り付けられるボックス１１と、同軸コネクタを備えるユニット部１２と、ユニット部１２が固着される固定枠１３と、固定枠１３に取り付けられる内蔵アンテナ２５ｂを備える取付プレート２５と、取付プレート２５の前面に装着される化粧用のプレート２４とから構成されている。この壁面端子２において、壁面に埋め込まれるように壁面内に取り付けられている一面が開口している箱状のボックス１１の前面に固定枠１３が取り付けられ、取り付けられた固定枠１３に取付プレート２５およびプレート２４とが取り付けられている。この際に、固定枠１３に固着されているユニット部１２がボックス１１が形成している収納空間１１ｃ内に配置され、内蔵アンテナ２５ｂを備える取付プレート２５が壁面から突出するようになる。ユニット部１２には、テレビ信号を導く同軸ケーブルが接続されており、内蔵アンテナ２５ｂに給電する同軸プラグ２５ｅがユニット部１２に設けられている同軸コネクタ１２ｂに装着されることから、ユニット部１２から供給されたテレビ信号が電波として内蔵アンテナ２５ｂから放射されるようになる。
【００１５】
そして、本発明の第２実施例にかかる壁面端子２を構成するボックス１１、固定枠１３およびユニット部１２は、第１実施例におけるボックス１１、固定枠１３およびユニット部１２と同じであり図３ないし図８にその構成が示されている。本発明の第２実施例に特有の取付プレート２５の構成を示す側面図を図１４に、取付プレート２５の構成を示す正面図を図１５に示す。また、プレート２４の構成を示す側面図を図１６に、プレート２４の構成を示す正面図を図１７に示す。
図１４および図１５に示す取付プレート２５は、合成樹脂製とされ平板状の縦に長い矩形に形成されている。取付プレート２５は、平板状の本体部２５ａからなり、本体部２５ａの前面のほぼ中央部に内蔵アンテナ２５ｂが形成されている。内蔵アンテナ２５ｂは、例えば図示するように六角形の導電膜からなるエレメントを有している。このエレメントは、金属を蒸着あるいは金属薄膜を貼着することにより形成されており、内蔵アンテナ２５ｂには同軸プラグ２５ｅから給電されている。同軸プラグ２５ｅは、本体部２５ａの裏面から突出するよう本体部２５ａに一体に設けられている。
【００１６】
本体部２５ａの裏面には、縁部に沿った枠を残して大きな凹部２５ｇが形成されている。取付プレート２５は、固定枠１３より一回り大きく形成されており、この凹部２５ｇ内には、固定枠１３の本体部１３ａが収納される。また、本体部２５ａの裏面とされる凹部２５ｇ内にはグランドプレーン２５ｆが形成されている。このグランドプレーン２５ｆは、金属を蒸着あるいは薄い金属板を貼着することにより形成されており、同軸プラグ２５ｅの外部導体が接続されている。本体部２５ａにおける上下の縁部近傍に一対の挿通孔２５ｃが形成されている。この一対の挿通孔２５ｃのそれぞれに挿通したネジを固定枠１３のネジ部１３ｅにそれぞれ螺着することにより、取付プレート２５を固定枠１３に固着することができる。また、本体部２５ａの左右の縁部に沿ってそれぞれ一対の係合孔２５ｄが合計４個形成されている。この係合孔２５ｄには、プレート２４に形成されている係合片２４ｂがそれぞれ係合可能とされて、プレート２４を取付プレート２５に取り付けることができるようにされている。このように構成された取付プレート１５を固定枠１３に取り付けると、裏面から突出するよう設けられている同軸プラグ２５ｅが固定枠１３の切欠窓１３ｃを介してユニット部１２に設けられている同軸コネクタ１２ｂに装着される。
【００１７】
次に、図１６および図１７に示すプレート２４は、合成樹脂製とされ平板状の縦に長い矩形に形成されている。プレート２４は、縦に長い矩形状の本体部２４ｄからなり、本体部２４ｄの裏面における左右の縁部に沿ってそれぞれ一対の係合片２４ｂが合計４個形成されている。この係合片２４ｂは、取付プレート２５に形成されている係合孔２５ｄにそれぞれ係合可能とされている。このように構成されたプレート２４を取付プレート２５に取り付けると、裏面から突出するよう設けられている４個の係合片２４ｂが、取付プレート２５に形成されている係合孔２５ｄに挿入されてそれぞれ係合されるようになる。これにより、図１３に示す壁面端子２とされる。
【００１８】
上述したように、第２実施例の壁面端子２においてボックス１１の収納空間１１ｃには、壁面内に布線されている同軸ケーブルが導入されており、この同軸ケーブルの芯線および外部導体がユニット部１２にそれぞれ接続されて、同軸ケーブルを伝播したテレビ信号は同軸コネクタ１２ｂから出力されるようになる。そして、同軸コネクタ１２ｂに、取付プレート２５の同軸プラグ２５ｅが装着されてテレビ信号が内蔵アンテナ２５ｂに給電されるようになる。これにより、内蔵アンテナ２５ｂからテレビ信号が電波として放射され、この電波を壁面端子２の近傍に配置されているアンテナを備えるＴＶ受像機において受信することにより、ＴＶ受像機において視聴することができるようになる。この場合、据え置き型のＴＶ受像機には一般にアンテナが備えられていないが、ロッドアンテナ等をＴＶ受像機における入力用の同軸端子に接続することにより受信可能とすることができる。
なお、取付プレート２５が内蔵する内蔵アンテナ２５ｂは、図示するようなパッチアンテナに限るものではなく、ループアンテナ、逆Ｆ型アンテナ、スロットアンテナ、マイクロストリップアンテナ等のアンテナとすることができる。この場合、必要に応じて内蔵アンテナ２５ｂに対面するようグランドプレーン２５ｆを設けることができる。
【産業上の利用可能性】
【００１９】
以上説明したように、本発明にかかる壁面端子は、壁面端子から同軸ケーブルを介してＴＶ受像機に接続することなくテレビ信号を伝送できるワイヤレス化を行えるようになる。これにより、地下街や室内など電波状況の悪いところにおいてもテレビ放送を受信可能な携帯機器等において受信することが可能となる。
以上説明した壁面端子において、内蔵アンテナを備えるアンテナ内蔵プレートあるいは取付プレートを、内蔵されるアンテナの種類毎に用意しておき、使用環境に最適とされるアンテナを備えるアンテナ内蔵プレートあるいは取付プレートを選択して取り付けるようにしても良い。
【図面の簡単な説明】
【００２０】
【図１】本発明にかかる第１実施例の壁面端子の構成を示す正面図である。
【図２】本発明にかかる第１実施例の壁面端子の構成を一部断面で示す側面図である。
【図３】本発明にかかる壁面端子にかかるボックスの構成の断面を示す側面図である。
【図４】本発明にかかる壁面端子にかかるボックスの構成を示す正面図である。
【図５】本発明にかかる壁面端子にかかる固定枠の構成を示す側面図である。
【図６】本発明にかかる壁面端子にかかる固定枠の構成を示す正面図である。
【図７】本発明にかかる壁面端子にかかるユニット部の構成を示す側面図である。
【図８】本発明にかかる壁面端子にかかるユニット部の構成を示す正面図である。
【図９】本発明にかかる壁面端子にかかる取付プレートの構成を示す側面図である。
【図１０】本発明にかかる壁面端子にかかる取付プレートの構成を示す正面図である。
【図１１】本発明にかかる壁面端子にかかるアンテナ内蔵プレートの構成を示す側面図である。
【図１２】本発明にかかる壁面端子にかかるアンテナ内蔵プレートの構成を示す正面図である。
【図１３】本発明にかかる第２実施例の壁面端子の構成を一部断面で示す側面図である。
【図１４】本発明の第２実施例にかかる壁面端子にかかる取付プレートの構成を示す側面図である。
【図１５】本発明の第２実施例にかかる壁面端子にかかる取付プレートの構成を示す正面図である。
【図１６】本発明の第２実施例にかかる壁面端子にかかるプレートの構成を示す側面図である。
【図１７】本発明の第２実施例にかかる壁面端子にかかるプレートの構成を示す正面図である。
【図１８】従来の壁面端子の一例を示す図である。
【符号の説明】
【００２１】
１  壁面端子、２  壁面端子、１１  ボックス、１１ａ  本体部、１１ｂ  取付片、１１ｃ  収納空間、１１ｄ  ネジ穴、１２  ユニット部、１２ｂ  同軸コネクタ、１２ｃ  凹部、１３  固定枠、１３ａ  本体部、１３ｂ  固定片、１３ｃ  切欠窓、１３ｄ  挿通孔、１３ｅ  ネジ部、１４  アンテナ内蔵プレート、１４ａ  内蔵アンテナ、１４ｂ  係合片、１４ｃ  同軸プラグ、１４ｄ  本体部、１５  取付プレート、１５ａ  本体部、１５ｂ  切欠窓、１５ｃ  挿通孔、１５ｄ  係合孔、１５ｅ  凹部、２４  プレート、２４ｂ  係合片、２４ｄ  本体部、２５  取付プレート、２５ａ  本体部、２５ｂ  内蔵アンテナ、２５ｃ  挿通孔、２５ｄ  係合孔、２５ｅ  同軸プラグ、２５ｆ  グランドプレーン、２５ｇ  凹部、１００  壁面端子、１０１  プレート、１０２  接栓座、１０２ａ  同軸コネクタ
【図１】
2008042526.tif 000003
【図２】
2008042526.tif 000004
【図３】
2008042526.tif 000005
【図４】
2008042526.tif 000006
【図５】
2008042526.tif 000007
【図６】
2008042526.tif 000008
【図７】
2008042526.tif 000009
【図８】
2008042526.tif 000010
【図９】
2008042526.tif 000011
【図１０】
2008042526.tif 000012
【図１１】
2008042526.tif 000013
【図１２】
2008042526.tif 000014
【図１３】
2008042526.tif 000015
【図１４】
2008042526.tif 000016
【図１５】
2008042526.tif 000017
【図１６】
2008042526.tif 000018
【図１７】
2008042526.tif 000019
【図１８】
2008042526.tif 000020